(57)【要約】【課題】複数の読影医によって複数の所見が読影レポートに記入された際にも、各所見に対する問い合わせ先を明確にする。【解決手段】読影部門６に在籍する読影医は、読影レポート端末１２を介して医用画像１６の読影、及び読影レポート２０の作成を行う。読影レポート作成端末１２のＣＰＵ３０は、読影レポート２０とともに、レポート付帯情報２１を作成する。レポート付帯情報２１には、記入された各所見を識別するための所見識別情報、所見を記入した読影医などの記入者を識別するための記入者識別情報などが関連付けられて記録される。診療科端末１０のＣＰＵ２４は、読影レポート２０をモニタ２６に表示する際、レポート付帯情報２１を基に各読影医が記入した所見を選択的に抽出して表示する。これにより、依頼医は、どの読影医が記入した所見であるかを容易に判別することができる。【選択図】図１
2009060945.tif 000002
【特許請求の範囲】
【請求項１】
医用画像の読影結果を表す所見が複数の記入者によって複数記入されてなる読影レポートの作成と、作成された前記読影レポートの表示とを行う読影レポートシステムにおいて、
前記所見を記入するための所見記入手段と、
前記所見記入手段を介して前記所見が記入された際に、記入された前記所見を識別するための所見識別情報と、その所見を記入した記入者を識別するための記入者識別情報とを関連付けて記録したレポート付帯情報を作成する付帯情報作成手段とを設けたことを特徴とする読影レポートシステム。
【請求項２】
前記読影レポートを表示する表示手段と、
前記読影レポートを前記表示手段に表示する際に、前記レポート付帯情報に基づいて、前記読影レポートに含まれる前記各所見の中から所定の前記所見を選択的に抽出して表示する表示制御手段とを設けたことを特徴とする請求項１記載の読影レポートシステム。
【請求項３】
前記読影レポートには、読影に用いられた医用画像に対応する参照用画像と、読影によって医用画像から読み取られた特徴点の位置を示すように前記参照用画像の上に表示されるマークとが含まれるとともに、
前記レポート付帯情報には、前記特徴点の位置を表す特徴点位置情報が、前記特徴点に対応する前記所見の前記所見識別情報と、その所見を記入した記入者の前記記入者識別情報とに関連付けられて記録されており、
前記表示制御手段は、複数の前記特徴点のそれぞれに対応する複数の前記所見と前記マークとが前記読影レポートに含まれている場合に、抽出した前記所見に対応する前記マークのみを前記参照用画像の上に表示することを特徴とする請求項２記載の読影レポートシステム。
【請求項４】
前記表示制御手段は、前記レポート付帯情報に基づいて、特定の記入者が記入した前記所見を抽出することを特徴とする請求項２又は３記載の読影レポートシステム。
【請求項５】
前記表示制御手段は、前記レポート付帯情報に基づいて、特定の前記特徴点に関する前記所見を抽出することを特徴とする請求項３記載の読影レポートシステム。
【請求項６】
前記レポート付帯情報には、前記読影レポートに含まれる前記参照用画像を識別するための画像識別情報が前記所見識別情報と前記記入者識別情報とに関連付けられて記録されており、
前記表示制御手段は、前記読影レポートに複数の前記参照用画像が含まれている場合に、前記レポート付帯情報に基づいて、抽出した前記所見に関連する前記参照用画像のみを表示することを特徴とする請求項３から５のいずれか１項に記載の読影レポートシステム。
【請求項７】
前記読影レポートに複数の前記参照用画像が含まれている場合に、前記各参照用画像のそれぞれに表示される前記各マークが同一の前記特徴点を示しているか否かを判定する判定手段を設け、
前記表示制御手段は、前記各マークが同一の前記特徴点を示していると前記判定手段によって判定された際に、前記各参照用画像のいずれか１つのみを表示することを特徴とする請求項６記載の読影レポートシステム。
【請求項８】
医用画像の読影結果を表す所見が複数の記入者によって複数記入されてなる読影レポートを作成する読影レポート作成装置において、
前記所見を記入するための所見記入手段と、
前記所見記入手段を介して前記所見が記入された際に、記入された前記所見を識別するための所見識別情報と、その所見を記入した記入者を識別するための記入者識別情報とを関連付けて記録したレポート付帯情報を作成する付帯情報作成手段とを設けたことを特徴とする読影レポート作成装置。
【請求項９】
医用画像の読影結果を表す所見が複数の記入者によって複数記入されてなる読影レポートを表示する読影レポート表示装置において、
前記読影レポートを表示する表示手段と、
前記読影レポートを前記表示手段に表示する際に、記入された前記各所見を識別するための所見識別情報と、前記各所見を記入した記入者を識別するための記入者識別情報とを関連付けて記録したレポート付帯情報に基づいて、前記読影レポートに含まれる前記各所見の中から所定の前記所見を選択的に抽出して表示する表示制御手段とを設けたことを特徴とする読影レポート表示装置。
【請求項１０】
医用画像の読影結果を表す所見が複数の記入者によって複数記入されてなる読影レポートを表示する読影レポート表示方法において、
前記所見を記入するための所見記入手段を介して前記所見が記入された際に、記入された前記所見を識別するための所見識別情報と、その所見を記入した記入者を識別するための記入者識別情報とを関連付けて記録したレポート付帯情報を作成するステップと、
前記読影レポートを表示手段に表示する際に、前記レポート付帯情報に基づいて、前記読影レポートに含まれる前記各所見の中から所定の前記所見を選択的に抽出して表示するステップとを有することを特徴とする読影レポート表示方法。
【請求項１１】
医用画像の読影結果を表す所見が複数の記入者によって複数記入されてなる読影レポートを作成する処理と、作成された前記読影レポートを表示手段に表示する処理とをコンピュータに実行させる読影レポートプログラムにおいて、
前記所見を記入するための所見記入手段を介して前記所見が記入された際に、記入された前記所見を識別するための所見識別情報と、その所見を記入した記入者を識別するための記入者識別情報とを関連付けて記録したレポート付帯情報を作成する付帯情報作成ステップを有することを特徴とする読影レポートプログラム。
【発明の詳細な説明】
【技術分野】
【０００１】
本発明は、複数の記入者によって複数の所見が記入される読影レポートの作成と、表示とを行う読影レポートシステム、及びこの読影レポートシステムに用いられる読影レポート作成装置、読影レポート表示装置、読影レポート表示方法、並びに読影レポートプログラムに関する。
【背景技術】
【０００２】
病院などの医療施設において、ＣＲ（Computed Radiography）装置、ＣＴ（Computed Tomography：コンピュータ断層撮影）装置、ＭＲＩ（Magnetic Resonance Imaging：磁気共鳴映像）装置、ＰＥＴ（Positron Emission Tomography：ポジトロン断層撮影）装置、超音波診断装置などといった様々な医療検査装置（モダリティ）が普及している。モダリティによって撮影された医用画像は、医師が患者を診断する際などに用いられ、患者の症状を確定する上で大きな役割を担っている。
【０００３】
一般に、各診療科に在籍する医師は、医用画像を基に診断を行う際、その医用画像の読影を専門の読影部門に依頼する。読影部門に在籍する医師は、依頼された医用画像の読影を行い、その結果をレポート（以下、読影レポートと称す）にまとめて依頼元の医師に報告する。各診療科の医師は、この読影レポートを基に患者に対する最終的な診断を行い、診断を確定する。
【０００４】
近年、医療分野では、業務の効率化を図るため、医用画像やカルテなどの電子化が進められている。こうした情勢の下、上述のような読影業務をオンラインで行えるようにしたシステムも、例えば、特許文献１〜３などによって提案されている。
【特許文献１】特開２００１−１２５９９５号公報
【特許文献２】特開２００４−３０５２８９号公報
【特許文献３】特開２００４−３３４４６６号公報
【発明の開示】
【発明が解決しようとする課題】
【０００５】
読影部門における読影レポートの作成は、必ずしも一人の医師によって行われるとは限らない。例えば、超音波診断の検査では、複数の技師が医用画像の検査時の所見を順次読影レポートに追記していき、その所見を基に医師が最後に読影を行ってレポートを完成させる。また、一つの検査に対して複数の医師が読影を行うケースもある。さらに、一つの検査の読影を行った際に、医用画像から読み取られる患部などの特徴点の数は、一つであるとは限らない。例えば、患者が癌である場合、原発巣と転移巣などのように、医用画像から複数の患部が読み取られる場合がある。
【０００６】
このように、複数の医師によって読影が行われ、読み取られた各特徴点などに対する複数の所見が読影レポートに記入されている場合、依頼元の医師がその読影レポートを参照した際に、どの医師がどの所見を記入したか判別が付かないという問題が生じる。読影した医師と所見との対応が付かないと、記入された所見に関して依頼元の医師が問い合わせをしたい場合に、どの医師に問い合わせれば良いかが分からない。例えば、医師Ａと医師Ｂとのそれぞれが所見を記入した読影レポートに対して問い合わせを行う場合、医師Ａが記入した所見に関する質問を医師Ｂに問い合わせたとしても、その質問に対して医師Ｂは回答することができない。
【０００７】
従って、問い合わせ先が分からないと、読影部門に問い合わせ先を確認しなければならないなど、依頼元の医師の業務効率を低下させる要因になる。同様に、認識していない所見に関する問い合わせに応対しなければならないなど、読影部門の医師の業務効率を低下させる要因にもなる。このため、読影業務を行うシステムでは、読影した医師と読影レポートに記入された所見との対応関係を明確にしたいという要望が強い。
【０００８】
関連する技術として、特許文献１には、読影した医師や技師の署名情報を複数入力できるようにした医用レポートシステムが記載されている。この医用レポートシステムによれば、複数の医師などによって読影レポートが作成された際にも、各医師の情報を依頼元の医師が正確に把握することができる。しかしながら、この医用レポートシステムでは、読影レポートを作成した各医師の情報を把握できるだけであり、読影レポートに記入された複数の所見と各医師との対応関係を把握することはできない。
【０００９】
また、特許文献２には、読影レポートに記入された所見と医用画像上の位置とを対応付けるようにした医用システムが記載されている。この医用システムによれば、読影レポートを参照する際に、所見がどの医用画像のどの位置に対して記載されたかを容易に把握することができるが、上記と同様に、読影レポートに記入された複数の所見と各医師との対応関係を把握することはできない。
【００１０】
さらに、特許文献３には、読影レポートの履歴情報を保存するようにした医用診断レポートシステムが記載されている。この医用診断レポートシステムによれば、読影レポートがどのような過程を経て作成されたかを確認することができるが、このシステムによっても上記と同様に、読影レポートに記入された複数の所見と各医師との対応関係を把握することはできない。
【００１１】
本発明は、上記課題を鑑みてなされたものであって、複数の医師によって複数の所見が読影レポートに記入された際にも、各所見に対する問い合わせ先が明確になるようにすることを目的とする。
【課題を解決するための手段】
【００１２】
上記課題を達成するため、医用画像の読影結果を表す所見が複数の記入者によって複数記入されてなる読影レポートの作成と、作成された前記読影レポートの表示とを行う本発明の読影レポートシステムは、前記所見を記入するための所見記入手段と、前記所見記入手段を介して前記所見が記入された際に、記入された前記所見を識別するための所見識別情報と、その所見を記入した記入者を識別するための記入者識別情報とを関連付けて記録したレポート付帯情報を作成する付帯情報作成手段とを設けたことを特徴とする。
【００１３】
なお、前記読影レポートを表示する表示手段と、前記読影レポートを前記表示手段に表示する際に、前記レポート付帯情報に基づいて、前記読影レポートに含まれる前記各所見の中から所定の前記所見を選択的に抽出して表示する表示制御手段とを設けると、さらに好適である。
【００１４】
また、前記読影レポートには、読影に用いられた医用画像に対応する参照用画像と、読影によって医用画像から読み取られた特徴点の位置を示すように前記参照用画像の上に表示されるマークとが含まれるとともに、前記レポート付帯情報には、前記特徴点の位置を表す特徴点位置情報が、前記特徴点に対応する前記所見の前記所見識別情報と、その所見を記入した記入者の前記記入者識別情報とに関連付けられて記録され、前記表示制御手段は、複数の前記特徴点のそれぞれに対応する複数の前記所見と前記マークとが前記読影レポートに含まれている場合に、抽出した前記所見に対応する前記マークのみを前記参照用画像の上に表示することが好ましい。
【００１５】
さらに、前記表示制御手段は、前記レポート付帯情報に基づいて、特定の記入者が記入した前記所見を抽出することが好ましい。
【００１６】
なお、前記表示制御手段は、前記レポート付帯情報に基づいて、特定の前記特徴点に関する前記所見を抽出するものであってもよい。
【００１７】
また、前記レポート付帯情報には、前記読影レポートに含まれる前記参照用画像を識別するための画像識別情報が前記所見識別情報と前記記入者識別情報とに関連付けられて記録され、前記表示制御手段は、前記読影レポートに複数の前記参照用画像が含まれている場合に、前記レポート付帯情報に基づいて、抽出した前記所見に関連する前記参照用画像のみを表示することが好ましい。
【００１８】
さらに、前記読影レポートに複数の前記参照用画像が含まれている場合に、前記各参照用画像のそれぞれに表示される前記各マークが同一の前記特徴点を示しているか否かを判定する判定手段を設け、前記表示制御手段は、前記各マークが同一の前記特徴点を示していると前記判定手段によって判定された際に、前記各参照用画像のいずれか１つのみを表示することが好ましい。
【００１９】
なお、医用画像の読影結果を表す所見が複数の記入者によって複数記入されてなる読影レポートを作成する本発明の読影レポート作成装置は、前記所見を記入するための所見記入手段と、前記所見記入手段を介して前記所見が記入された際に、記入された前記所見を識別するための所見識別情報と、その所見を記入した記入者を識別するための記入者識別情報とを関連付けて記録したレポート付帯情報を作成する付帯情報作成手段とを設けたことを特徴とする。
【００２０】
また、医用画像の読影結果を表す所見が複数の記入者によって複数記入されてなる読影レポートを表示する本発明の読影レポート表示装置は、前記読影レポートを表示する表示手段と、前記読影レポートを前記表示手段に表示する際に、記入された前記各所見を識別するための所見識別情報と、前記各所見を記入した記入者を識別するための記入者識別情報とを関連付けて記録したレポート付帯情報に基づいて、前記読影レポートに含まれる前記各所見の中から所定の前記所見を選択的に抽出して表示する表示制御手段とを設けたことを特徴とする。
【００２１】
また、医用画像の読影結果を表す所見が複数の記入者によって複数記入されてなる読影レポートを表示する本発明の読影レポート表示方法は、前記所見を記入するための所見記入手段を介して前記所見が記入された際に、記入された前記所見を識別するための所見識別情報と、その所見を記入した記入者を識別するための記入者識別情報とを関連付けて記録したレポート付帯情報を作成するステップと、前記読影レポートを表示手段に表示する際に、前記レポート付帯情報に基づいて、前記読影レポートに含まれる前記各所見の中から所定の前記所見を選択的に抽出して表示するステップとを有することを特徴とする。
【００２２】
さらに、医用画像の読影結果を表す所見が複数の記入者によって複数記入されてなる読影レポートを作成する処理と、作成された前記読影レポートを表示手段に表示する処理とをコンピュータに実行させる本発明の読影レポートプログラムは、前記所見を記入するための所見記入手段を介して前記所見が記入された際に、記入された前記所見を識別するための所見識別情報と、その所見を記入した記入者を識別するための記入者識別情報とを関連付けて記録したレポート付帯情報を作成する付帯情報作成ステップを有することを特徴とする。
【発明の効果】
【００２３】
本発明では、所見が記入された際に、記入された所見を識別するための所見識別情報と、その所見を記入した記入者を識別するための記入者識別情報とを関連付けて記録したレポート付帯情報を作成するようにした。これにより、読影を依頼した医師は、読影レポートに記入された所見に関して問い合わせをしたい場合などに、レポート付帯情報を確認することで、各所見を記入した医師などの記入者を知ることができる。このように、本発明によれば、複数の医師によって複数の所見が読影レポートに記入された際にも、各所見に対する問い合わせ先を明確にすることができる。
【００２４】
また、読影レポートを表示手段に表示する際に、レポート付帯情報に基づいて、読影レポートに含まれる各所見の中から所定の所見を選択的に抽出して表示する表示制御手段を設け、例えば、特定の記入者が記入した所見を抽出するようにすれば、各所見と記入者との対応関係を依頼元の医師などに即座に認識させることができる。
【発明を実施するための最良の形態】
【００２５】
図１は、病院などの医療施設に構築される医用ネットワークシステム（読影レポートシステム）２の構成を概略的に示す説明図である。医用ネットワークシステム２は、外科や内科などの各診療科４に設置される複数台の診療科端末（読影レポート表示装置）１０と、読影部門６に設置される複数台の読影レポート作成端末（読影レポート作成装置）１２と、各診療科端末１０と各読影レポート作成端末１２とを相互に接続するＬＡＮ（Local Area Network）１４とで構成されている。また、ＬＡＮ１４には、画像サーバ１８とレポートサーバ２２とが接続されている。画像サーバ１８は、検査などに際して取得された各種の医用画像１６を保管する。レポートサーバ２２は、医用画像１６を読影した際の所見などが記入された読影レポート２０、及び各読影レポート２０に対応して作成されるレポート付帯情報２１を保管する。
【００２６】
各診療科４に在籍する医師は、患者の診断を行う際、必要に応じて放射線科などの検査部門に検査を依頼し、患者の医用画像１６を撮影するとともに、その医用画像１６の読影を読影部門６に依頼する。読影部門６に在籍する医師（以下、読影医と称す）は、各診療科４からの依頼に応じて医用画像１６の読影を行い、その結果を読影レポート２０にまとめて依頼元の医師（以下、依頼医と称す）に報告する。そして、依頼医は、読影部門６からの読影レポート２０を基に最終的な診断を行い、診断を確定する。医用ネットワークシステム２は、各診療科端末１０と各読影レポート作成端末１２とをＬＡＮ１４を介して接続し、読影依頼と読影結果の報告とをオンラインで行えるようにすることで、当該医療施設における業務の効率化を図る。なお、画像サーバ１８とレポートサーバ２２とは、ＬＡＮ１４に複数台接続されていてもよい。
【００２７】
診療科端末１０は、周知のパーソナルコンピュータやワークステーションなどであり、診療科端末１０の各部を統括的に制御するＣＰＵ（表示制御手段、判定手段）２４と、医用ネットワーク２に係る各種のプログラムなどを記憶するＨＤＤ２５と、医用画像１６や読影レポート２０などを表示するためのモニタ（表示手段）２６と、周知の入力デバイスであるマウス２７、キーボード２８と、診療科端末１０をＬＡＮ１４に接続するための通信インタフェース（Ｉ／Ｆ）２９とを備えている。ＣＰＵ２４は、ＨＤＤ２５に記憶された各種のプログラムを読み出し、読み出したプログラムを逐次処理することによって、診療科端末１０を制御する。なお、図１では、図示を簡略化しているが、各診療科端末１０は、全て同一の構成である。
【００２８】
読影レポート作成端末１２は、読影部門６に在籍する読影医の数などに応じて、読影部門６に複数台設置される。読影レポート作成端末１２も診療科端末１０と同様に、周知のパーソナルコンピュータやワークステーションなどであり、読影レポート作成端末１２の各部を統括的に制御するＣＰＵ（付帯情報作成手段）３０と、医用ネットワーク２に係る各種のプログラムなどを記憶するＨＤＤ３１と、医用画像１６や読影レポート２０などを表示するためのモニタ３２と、周知の入力デバイスであるマウス３３、キーボード（所見記入手段）３４と、読影レポート作成端末１２をＬＡＮ１４に接続するための通信Ｉ／Ｆ３５とを備えている。
【００２９】
画像サーバ１８は、いわゆるＰＡＣＳ（Picture Archiving and Communication System for medical application）サーバである。画像サーバ１８には、医療施設に設置されたＣＲ、ＣＴ、ＭＲＩなどの各種のモダリティで撮影された医用画像１６、及びネットワークやメディアなどを介して他の医療施設から送られてきた医用画像１６などが保管される。なお、医用画像１６には、モダリティで撮影された患者の画像の他に、診断の際に症状の対比に用いられる参考用の画像、及びイラストレーションによって描かれた画像なども含むものとする。
【００３０】
レポートサーバ２２は、読影レポート作成端末１２によって電子データとして作成された読影レポート２０やレポート付帯情報２１を保管するとともに、各診療科端末１０からの要求に応じて保管した読影レポート２０やレポート付帯情報２１を要求元の診療科端末１０に転送する。
【００３１】
各診療科４から読影部門６に医用画像１６の読影を依頼する際には、図２に示すように、読影依頼情報３６を診療科端末１０で作成し、レポートサーバ２２に送信する。読影依頼情報３６は、例えば、患者情報、検査情報、依頼元の診療科名、依頼医名などによって構成される。患者情報は、各患者の個人情報を表す情報であり、例えば、患者名、患者ＩＤ、性別、年齢、生年月日、及び既往歴などが含まれる。検査情報は、撮影された医用画像１６など各患者に対して行われた検査を表す情報であり、例えば、医用画像１６の撮影項目、検査ＩＤ、検査実施日、検査機器、及び検査方法などが含まれる。ここで、検査方法とは、正面及び側面などの撮影に対する患者の向きや造影剤の有無などである。なお、読影依頼情報３６に含まれる情報は、これらに限定されるものではない。
【００３２】
レポートサーバ２２には、読影依頼管理テーブル３８が設けられている。レポートサーバ２２は、各診療科端末１０から送信された読影依頼情報３６を受信すると、その読影依頼情報３６を、例えば、受信日時順に並べて読影依頼管理テーブル３８に記録する。
【００３３】
図３は、読影部門６における読影業務の流れを概略的に示す説明図である。読影部門６に在籍する各読影医は、読影レポート作成端末１２を介してレポートサーバ２２の読影依頼管理テーブル３８にアクセスし、読影依頼管理テーブル３８に記録された各読影依頼情報３６を参照することにより、各診療科４からの読影依頼を確認する。
【００３４】
読影部門６の読影業務は、一次読影、査閲、承認の各工程によって構成されている。各工程は、それぞれ異なる読影医Ａ、Ｂ、Ｃによって行われる。読影部門６に新たな読影依頼が申し込まれると、先ず、読影医Ａによって一次読影が行われる。読影医Ａは、読影依頼情報３６を基に医用画像１６の読影を行い、読影レポート２０を作成する。読影医Ａによって作成された読影レポート２０は、暫定的なレポートとしてレポートサーバ２２に保管される。次に、読影医Ｂによって、一次読影で作成された読影レポート２０の査閲が行われる。査閲を行う読影医Ｂは、独自に医用画像１６の読影を行い、その読影レポート２０に対し、必要に応じて所見の追加や修正などを行う。
【００３５】
読影医Ｂによる査閲が終了すると、次に、承認権限を有する読影医Ｃによって読影レポート２０の承認が行われる。読影医Ｃは、読影医Ｂと同様に、必要に応じて所見の追加や修正などを行い、その読影レポート２０を承認する。読影医Ｃによって承認された読影レポート２０は、読影部門６での診断結果として確定され、レポートサーバ２２に保管される。また、読影医Ｃによって読影レポート２０が承認されると、その読影依頼の読影終了の通知が、依頼医に送信される。
【００３６】
読影部門６では、このように１件の読影依頼に対して複数の読影医が読影を行うことにより、患部の見落としや見間違いなどを防止するようにしている。なお、図３では、１件の読影依頼に対して三人の読影医が読影を行うようにしているが、読影医の人数は、これに限ることなく、二人でもよいし、三人以上でもよい。
【００３７】
図４は、読影レポート作成端末１２のモニタ３２に表示される読影依頼選択画面４０の一例を示す説明図である。読影依頼選択画面４０には、各読影依頼が表形式で表示される。また、読影依頼選択画面４０には、ポインタ４２が表示される。ポインタ４２は、マウス３３の操作に連動して画面上を移動する。ＣＰＵ３０は、マウス３３などを介して読影医から読影依頼選択画面４０の表示が要求されると、レポートサーバ２２にアクセスし、読影依頼管理テーブル３８に記録された各読影依頼情報３６を読み出す。そして、読み出した各読影依頼情報３６を基に読影依頼選択画面４０を構成し、モニタ３２に表示する。
【００３８】
各読影依頼の表示欄には、例えば、読影依頼情報３６の受信日時、依頼科名、依頼医名、その読影依頼のステータスなどが含まれる。ステータスには、例えば、一次読影が行われていない場合に「未読」が表示される。また、一次読影が行われ、査閲が行われていない場合に「査閲待ち」が、査閲が行われ、承認が行われていない場合に「承認待ち」が、それぞれ表示される。
【００３９】
各読影依頼の表示欄には、読影ボタン４４が設けられている。マウス３３を操作してポインタ４２を読影ボタン４４の上に移動させ、マウス３３のボタンをクリックする（以下、この操作を単純にクリックすると称す）と、その読影依頼に対応する医用画像１６の読影が開始される。
【００４０】
読影部門６に在籍する各読影医は、この読影依頼選択画面４０によって読影依頼管理テーブル３８に記録された各読影依頼情報３６を確認し、依頼された医用画像１６の読影、及び読影レポート２０の作成などといった業務を行う。
【００４１】
図５は、レポート作成画面５０の一例を示す説明図である。レポート作成画面５０は、例えば、読影依頼選択画面４０で読影ボタン４４をクリックすることにより、モニタ３２に表示される。レポート作成画面５０には、医師情報表示領域５１と、検査画像表示領域５２と、所見入力領域５３と、キー画像表示領域５４とが設けられている。また、レポート作成画面５０には、ポインタ５５が表示される。ポインタ５５は、マウス３３の操作に連動して画面上を移動する。
【００４２】
医師情報表示領域５１には、医師ＩＤ表示ボックス５６、医師名表示ボックス５７が設けられている。医師ＩＤ表示ボックス５６、医師名表示ボックス５７には、レポート作成画面５０を表示させた読影医の医師ＩＤ、医師名がそれぞれ表示される。なお、医師ＩＤ、及び医師名は、読影レポート作成端末１２へのログイン情報などを基に自動で表示させるようにしてもよいし、読影医に入力させるようにしてもよい。
【００４３】
検査画像表示領域５２には、選択された読影依頼に対応する医用画像１６が表示される。ＣＰＵ３０は、読影ボタン４４がクリックされたことに応じて、読影依頼情報３６に含まれる検査ＩＤなどを基に、その読影依頼に対応する医用画像１６を画像サーバ１８から読み出し、読み出した医用画像１６を検査画像表示領域５２に表示する。
【００４４】
また、検査画像表示領域５２には、画像送りボタン５８、５９が設けられている。ＣＴで撮影された断層画像などのように、対応する医用画像１６が複数ある場合には、各画像送りボタン５８、５９をクリックすることで、表示される医用画像１６が切り替えられる。なお、本例では、医用画像１６と所見入力領域５３とを同一の画面上に表示しているが、別途モニタを設け、医用画像１６と所見入力領域５４とを別々のモニタに表示する（いわゆる、デュアルモニタ構成）ようにしてもよい。
【００４５】
所見入力領域５３には、所見追加ボタン６０ａ、記入終了ボタン６０ｂ、一次読影終了ボタン６０ｃ、査閲終了ボタン６０ｄ、確定ボタン６０ｅが設けられている。また、所見入力領域５３には、所見を入力するための所見入力ボックス６３ａ〜ｄが表示される。各所見入力ボックス６３ａ〜ｄは、所見追加ボタン６０ａをクリックする毎に、所見入力領域５３に追加表示される。読影医は、検査画像表示領域５２に表示された医用画像１６を読影し、医用画像１６から患部などの特徴点を読み取る。そして、読影を行った読影医は、キーボード３４を介して所見入力ボックス６３ａ〜ｄ内に所見を記入し、読影レポート２０を作成する。この際、読影医は、図５に示すように、各患部などに応じて各所見入力ボックス６３ａ〜ｄを分けて記入する。なお、医用画像１６の特徴点には、患部の他に、例えば、施術によって除去あるいは根治した患部痕なども含むものとする。
【００４６】
記入終了ボタン６０ｂは、読影レポート２０の作成を一時的に終了するためのボタンである。ＣＰＵ３０は、記入終了ボタン６０ｂがクリックされたことに応じて、その時点までに記入された事項を暫定的な読影レポート２０としてレポートサーバ２２に保管する。読影医は、例えば、読影レポート２０の作成を中断したい場合などに記入終了ボタン６０ｂをクリックし、暫定的な読影レポート２０をレポートサーバ２２に保管して読影業務を終了する。なお、暫定的な読影レポート２０をレポートサーバ２２に保管した場合、次に同じ読影依頼を選択すると、レポートサーバ２２に保管された読影レポート２０が読み出され、中断した時と同じ状態でレポート作成画面５０が表示される。
【００４７】
一次読影終了ボタン６０ｃは、一次読影の終了を指示するためのボタンである。ＣＰＵ３０は、一次読影終了ボタン６０ｃがクリックされたことに応じて、作成された読影レポート２０をレポートサーバ２２に保管するとともに、一次読影が終了したことをレポートサーバ２２に指示する。レポートサーバ２２は、受信した読影レポート２２を保管するとともに、その読影依頼の一次読影が終了したことを読影管理テーブル３８に記録する。
【００４８】
査閲終了ボタン６０ｄは、査閲の終了を指示するためのボタンである。ＣＰＵ３０は、査閲終了ボタン６０ｄがクリックされたことに応じて、作成された読影レポート２０をレポートサーバ２２に保管するとともに、査閲が終了したことをレポートサーバ２２に指示する。レポートサーバ２２は、受信した読影レポート２２を保管するとともに、その読影依頼の査閲が終了したことを読影管理テーブル３８に記録する。
【００４９】
確定ボタン６０ｅは、読影レポート２０の確定を指示するためのボタンである。ＣＰＵ３０は、確定ボタン６０ｅがクリックされたことに応じて、その時点までに記入された事項を確定された読影レポート２０としてレポートサーバ２２に保管するとともに、読影レポート２０が確定されたことをレポートサーバ２２に指示する。レポートサーバ２２は、受信した読影レポート２２を保管するとともに、その読影依頼の承認が終了したことを読影管理テーブル３８に記録する。
【００５０】
また、ＣＰＵ３０は、読影レポート２０が確定されると、読影依頼情報３６に含まれる依頼医の情報を基に、例えば、メールなどによって依頼医に読影の終了を通知する。なお、誤操作を防止するため、一次読影終了ボタン６０ｃ、査閲終了ボタン６０ｄ、確定ボタン６０ｅは、それぞれ所定の権限を有する読影医のみが操作できるようにしておくことが好ましい。
【００５１】
キー画像表示領域５４には、医用画像１６に拡大／縮小、階調処理などの画像処理を施したキー画像（参照用画像）６５が表示される。キー画像６５は、例えば、検査画像表示領域５２に表示された医用画像１６をキー画像表示領域５４にドラッグアンドドロップすることによって、キー画像表示領域５４に表示される。
【００５２】
キー画像６５には、患部などの特徴点の位置を示すマークと注釈とからなるアノテーション６６、６７がオーバーレイ表示される。各アノテーション６６、６７は、例えば、マウス３３でキー画像６５上の所定の位置を指示し、キーボード３４を介して注釈を入力することにより、キー画像６５にオーバーレイ表示される。このように、各アノテーション６６、６７を表示することで、画像上の患部の位置と各所見とを対応付けることができる。キー画像６５、及び各アノテーション６６、６７は、読影レポート２０の一部としてレポートサーバ２２に保管される。
【００５３】
一次読影を行う読影医Ａは、読影依頼選択画面４０からステータスに「未読」が表示された読影依頼を選択して、その読影依頼の読影ボタン４４をクリックし、その読影依頼に対応するレポート作成画面５０を表示させる。レポート作成画面５０を表示させた読影医Ａは、検査画像表示領域５２に表示された医用画像１６の読影を行う。読影を行った読影医Ａは、検査画像表示領域５２に表示された医用画像１６をキー画像表示領域５４にドラッグアンドドロップし、キー画像表示領域５４にキー画像６５を表示させる。
【００５４】
図５に示すように、読影によって医用画像１６から２箇所の患部１、２を読み取った場合、読影医Ａは、患部１に対応するアノテーション６６、及び患部２に対応するアノテーション６７をキー画像６５上に表示させる。各アノテーション６６、６７を表示させた読影医Ａは、読影の結果に基づいて、患部１に対応する所見を所見入力ボックス６３ａに、患部２に対応する所見を所見入力ボックス６３ｂに、その他の所見を所見入力ボックス６３ｃに、総合的な読影結果を所見入力ボックス６３ｄに、それぞれ記入する。
【００５５】
各所見を入力した読影医Ａは、一次読影終了ボタン６０ｃをクリックして一次読影を終了する。これにより、各所見入力ボックス６３ａ〜ｄに記入された各所見、及びキー画像６５、各アノテーション６６、６７が暫定的な読影レポート２０としてレポートサーバ２２に保管される。また、これとともに、一次読影が終了したことが読影依頼管理テーブル３８に記録される。なお、各所見を先に入力した後に、各アノテーション６６、６７を表示させるなど、読影レポート２０の作成手順は、上記に限定されるものではない。
【００５６】
査閲を行う読影医Ｂは、読影依頼選択画面４０からステータスに「査閲待ち」が表示された読影依頼を選択し、その読影依頼の読影ボタン４４をクリックする。査閲待ちのステータスにある読影依頼の読影ボタン４４をクリックすると、レポートサーバ２２から暫定的に保管された読影レポート２０が読み出され、一次読影の終了時と同じ状態でレポート作成画面５０が表示される。レポート作成画面５０を表示させた読影医Ｂは、検査画像表示領域５２に表示された医用画像１６に対して独自に読影を行い、入力された所見に見落としや見間違いなどがないか査閲する。
【００５７】
読影医Ｂは、例えば、医用画像１６から２箇所の患部１、２が読み取られた一次読影（図５参照）の査閲を行って、医用画像１６から新たな患部３を読み取った場合、図６に示すように、患部３に対応するアノテーション６８をキー画像６５の上に表示させる。アノテーション６８を表示させた読影医Ｂは、所見追加ボタン６０ａをクリックして新たな所見入力ボックス６３ｅを追加し、追加した所見入力ボックス６３ｅに患部３に対応する所見を記入する。また、読影医Ｂは、一次読影で記入された各所見に不足や誤りがあると判断した場合、図６において点線で囲むように、記入された各所見に対して加筆修正を行う。なお、点線の枠は、説明する上で便宜的に示すものであって、実際のレポート作成画面５０に表示されるものではない。
【００５８】
上述のように各所見の加筆修正や見落とした患部の追記などを行った読影医Ｂは、査閲終了ボタン６０ｄをクリックして査閲を終了する。これにより、加筆修正や追記が行われた読影レポート２０がレポートサーバ２２に保管される。また、これとともに、査閲が終了したことが読影依頼管理テーブル３８に記録される。
【００５９】
承認を行う読影医Ｃは、読影依頼選択画面４０からステータスに「承認待ち」が表示された読影依頼を選択し、その読影依頼の読影ボタン４４をクリックする。承認待ちのステータスにある読影依頼の読影ボタン４４をクリックすると、レポートサーバ２２から暫定的に保管された読影レポート２０が読み出され、査閲の終了時と同じ状態でレポート作成画面５０が表示される。レポート作成画面５０を表示させた読影医Ｃは、検査画像表示領域５２に表示された医用画像１６に対して独自に読影を行い、入力された所見に見落としや見間違いなどがないかを確認した後、確定ボタン６０ｅをクリックして読影レポート２０を確定させる。読影医Ｃが承認を行うと、確定された読影レポート２０がレポートサーバ２２に保管されるとともに、承認が行われたことが読影依頼管理テーブル３８に記録される。さらに、読影医Ｃが承認を行うと、メールなどによって、その読影依頼の依頼医に読影が終了したことが通知される。
【００６０】
読影レポート作成端末１２のＣＰＵ３０は、上述のように読影レポート２０が作成される際に、読影レポート２０とともに、レポート付帯情報２１を作成し、読影レポート２０と対応付けてレポートサーバ２２に保管する。レポート付帯情報２１は、例えば、図７に示すように、読影レポート２０に所見を記入した記入者を識別するための記入者識別情報と、読影レポート２０に記入された各所見を識別するための所見識別情報と、各所見に対応する患部の医用画像１６上での位置を示す患部位置情報とを関連付けて記録することにより構成される。なお、レポート付帯情報７０に含まれる情報は、上記に限定されるものではない。
【００６１】
記入者識別情報は、例えば、読影医の医師ＩＤや医師名などによって構成される。ＣＰＵ３０は、例えば、一次読影終了ボタン６０ｃ、査閲終了ボタン６０ｄ、確定ボタン６０ｅなどがクリックされた際に、医師情報表示領域５１に表示された医師ＩＤと医師名とを記入者識別情報として記録する。
【００６２】
所見識別情報は、例えば、所見入力ボックスの識別情報や、所見入力ボックスに記入された所見の開始位置、終了位置の情報などによって構成される。ＣＰＵ３０は、例えば、一次読影終了ボタン６０ｃ、査閲終了ボタン６０ｄ、確定ボタン６０ｅなどがクリックされた際に、新たに所見が記入された所見入力ボックスの識別情報と、その所見の開始位置、終了位置の情報とを所見識別情報として、記入者識別情報に関連付けて記録する。また、ＣＰＵ３０は、新たに記入された所見が複数ある場合、所見毎に所見識別情報を作成する。
【００６３】
患部位置情報は、例えば、アノテーションの位置情報によって構成される。ＣＰＵ３０は、例えば、一次読影終了ボタン６０ｃ、査閲終了ボタン６０ｄ、確定ボタン６０ｅなどがクリックされた際に、キー画像６５に新たに表示されたアノテーションの位置情報を患部位置情報として、記入者識別情報、及び所見識別情報に関連付けて記録する。なお、患部位置情報は、レポート作成画面５０で所見とアノテーションとを対応付けることなどにより、対応する患部の所見識別情報と関連付けられる。
【００６４】
図７は、図６に示すレポート作成画面５０で作成された読影レポート２０のレポート付帯情報２１を例示している。上記読影レポート２０は、読影医Ａによって一次読影が行われている。このため、レポート付帯情報２１には、読影医Ａの医師ＩＤ、及び医師名が記入者識別情報１として記録されている。図５に示すように、読影医Ａは、４つの所見入力ボックス６３ａ〜ｄを作成し、それぞれに所見を記入している。このため、レポート付帯情報２１には、所見入力ボックス６３ａの所見に対応する所見識別情報１と、所見入力ボックス６３ｂの所見に対応する所見識別情報２と、所見入力ボックス６３ｃの所見に対応する所見識別情報３と、所見入力ボックス６３ｄの所見に対応する所見識別情報４とが、それぞれ記入者識別情報１に関連付けて記録されている。所見入力ボックス６３ａの所見は、患部１について記載されている。このため、レポート付帯情報２１には、患部１のアノテーション６６の位置に対応する患部位置情報１が所見識別情報１に関連付けて記録されている。また、所見入力ボックス６３ｂの所見は、患部２について記載されている。このため、レポート付帯情報２１には、患部２のアノテーション６７の位置に対応する患部位置情報２が所見識別情報２に関連付けて記録されている。
【００６５】
上記読影レポート２０では、査閲の際に、読影医Ｂによって新たな所見が記入されている。このため、レポート付帯情報２１には、読影医Ｂの医師ＩＤ、及び医師名が記入者識別情報２として記録されている。読影医Ｂは、所見入力ボックス６３ａ、所見入力ボックス６３ｄに加筆修正を行っている。このため、レポート付帯情報２１には、所見入力ボックス６３ａに加筆された所見に対応する所見識別情報５と、所見入力ボックス６３ｄに加筆された所見に対応する所見識別情報６とが、それぞれ記入者識別情報２に関連付けて記録されている。所見入力ボックス６３ａの所見は、前述のように、患部１について記載されている。このため、レポート付帯情報２１には、患部１のアノテーション６６の位置に対応する患部位置情報１が所見識別情報５に関連付けて記録されている。
【００６６】
また、読影医Ｂは、所見入力ボックス６３ｅを作成し、査閲の際に新たに読み取った患部３の所見の記入を行っている。このため、レポート付帯情報２１には、所見入力ボックス６３ｅの所見に対応する所見識別情報７が記入者識別情報２に関連付けて記録されるとともに、患部３のアノテーション６８の位置に対応する患部位置情報３が所見識別情報７に関連付けて記録される。
【００６７】
図８は、診療科端末１０のモニタ２６に表示されるレポート表示画面８０の一例を示す説明図である。レポート表示画面８０は、例えば、読影レポート作成端末１２から読影終了の通知を受信した後、その読影依頼の読影レポート２０の読み出しを指示することにより、モニタ２６に表示される。診療科端末１０のＣＰＵ２４は、依頼医から読影レポート２０の読み出しが指示されると、その読影レポート２０、及びその読影レポート２０に対応するレポート付帯情報２１をレポートサーバ２２から読み出してレポート表示画面８０を構成し、モニタ２６に表示する。依頼医は、このレポート表示画面８０を介して読影レポート２０を確認することにより、患者に対する最終的な診断を行う。なお、図８は、図６に示すレポート作成画面５０で作成された読影レポート２０を読み出した際のレポート表示画面８０を例示している。
【００６８】
レポート表示画面８０には、各種の情報を表示するための情報表示領域８１と、所見を表示するための所見表示領域８２と、キー画像６５を表示するためのキー画像表示領域８３とが設けられている。また、レポート表示画面８０には、ポインタ８４が表示される。ポインタ８４は、マウス２７の操作に連動して画面上を移動する。情報表示領域８１には、患者情報表示ボックス８５と検査情報表示ボックス８６とが設けられている。各ボックス８５、８６には、読影を依頼した検査の患者情報、検査情報が、それぞれ表示される。
【００６９】
所見表示領域８２には、確定情報表示ボックス９０と、所見表示ボックス９１ａ〜ｅとが表示される。確定情報表示ボックス９０には、読影レポート２０が確定された日時と、読影レポート２０を確定させた読影医の名前とが表示される。各所見表示ボックス９１ａ〜ｅは、レポート作成画面５０で作成された各所見入力ボックス６３ａ〜ｅに対応して表示される。また、各所見表示ボックス９１ａ〜ｅには、レポート作成画面５０で記入された各所見が表示される。キー画像表示領域８３には、レポート作成画面５０で貼り付け表示されたキー画像６５、及び各アノテーション６６〜６８が表示される。
【００７０】
また、所見表示領域８２には、表示する所見を切り替えるための複数のボタンが設けられている。各ボタンは、読影部門６で確定された所見を表示させるものと、所定の読影医が記入した所見のみを表示させるものとで構成される。このため、図６に示すレポート作成画面５０で作成された読影レポート２０に対応する図８のレポート表示画面８０には、確定された所見を表示させる確定ボタン９４ａと、読影医Ａが記入した所見を表示させる読影医Ａボタン９４ｂと、読影医Ｂが記入した所見を表示させる読影医Ｂボタン９４ｃとが設けられている。診療科端末１０のＣＰＵ２４は、レポート表示画面８０を構成する際、レポート付帯情報２１を参照し、記録された各記入者識別情報に基づいて各ボタンを表示させる。
【００７１】
ＣＰＵ２４は、確定ボタン９４ａがクリックされると、読影レポート２０に基づいて、図８に示すように、読影部門６で確定された所見を所見表示領域８２に表示する。ＣＰＵ２４は、読影医Ａボタン９４ｂがクリックされると、レポート付帯情報２１を基に読影医Ａが記入した所見を読影レポート２０から抽出し、図９に示すように、読影医Ａが記入した所見のみを所見表示領域８２に表示する。また、この際、ＣＰＵ２４は、図９に示すように、レポート付帯情報２１を基に読影医Ａが所見を記入した患部１、２に対応する各アノテーション６６、６７のみをキー画像６５上に表示し、患部３に対応するアノテーション６８を非表示にする。
【００７２】
ＣＰＵ２４は、読影医Ｂボタン９４ｃがクリックされると、レポート付帯情報２１を基に読影医Ｂが記入した所見を読影レポート２０から抽出し、図１０に示すように、読影医Ｂが記入した所見のみを所見表示領域８２に表示する。また、この際、ＣＰＵ２４は、図１０に示すように、レポート付帯情報２１を基に読影医Ｂが所見を記入した患部１、３に対応する各アノテーション６６、６８のみをキー画像６５上に表示し、患部２に対応するアノテーション６７を非表示にする。
【００７３】
なお、図１０では、読影医Ｂが加筆した所見を点線の枠で囲っている。この点線の枠は、実際には表示しなくてもよいし、読影医Ｂが加筆した所見であることを強調するために表示してもよい。また、所見の強調は、枠で囲むことに限らず、例えば、表示色を変えることなどによって行ってもよい。さらには、強調表示に限らず、図９に示すように、表示が要求された読影医の所見のみを表示し、その他を非表示にするようにしてもよい。なお、上述のような、各所見表示ボックス９１ａ〜ｅ内での任意の文字列の表示や、強調表示などは、レポート付帯情報７０の所見識別情報に記録された各所見の開始位置、終了位置の情報を基に行えばよい。
【００７４】
次に、図１１に示すフローチャートを参照しながら、上記構成による医用ネットワークシステム２の作用について説明する。各診療科４に在籍する医師は、必要に応じて医用画像１６の読影を読影部門６に依頼する。依頼医は、診療科端末１０を介して読影依頼情報３６を作成し、レポートサーバ２２に送信する。レポートサーバ２２は、読影依頼情報３６を受信すると、その読影依頼情報３６を読影依頼管理テーブル３８に記録する。
【００７５】
読影部門６に在籍する各読影医は、読影依頼選択画面４０（図４参照）を介して各診療科４からの読影依頼を確認し、前述のように一次読影、査閲、承認を行って読影レポート２０を作成する。読影レポート作成端末１２のＣＰＵ３０は、読影レポート２０を作成する際、その読影レポート２０に対応するレポート付帯情報２１（図７参照）を作成する。ＣＰＵ３０は、読影レポート２０が確定されると、その読影レポート２０、及び対応するレポート付帯情報２１をレポートサーバ２２に保管する。そして、ＣＰＵ３０は、読影レポート２０とレポート付帯情報２１とをレポートサーバ２２に保管すると、読影終了の通知を依頼医に送信する。
【００７６】
読影終了の通知を受信した依頼医は、診療科端末１０を介してレポートサーバ２２から読影レポート２０を読み出す。依頼医から読影レポート２０の読み出しが指示された診療科端末１０のＣＰＵ２４は、レポートサーバ２２にアクセスし、当該読影レポート２０、及びこれに対応するレポート付帯情報２１を読み出す。読影レポート２０とレポート付帯情報２１とを読み出したＣＰＵ２４は、これらを基にレポート表示画面８０を構成し、モニタ２６に表示する。また、ＣＰＵ２４は、レポート表示画面８０を表示する場合、図８に示すように、読影部門６で確定された所見を所見表示領域８２に表示する。依頼医は、レポート表示画面８０が表示されると、このレポート表示画面８０を介して読影レポート２０を確認し、患者に対する最終的な診断を行う。
【００７７】
レポート表示画面８０を表示させたＣＰＵ２４は、読影医Ａボタン９４ｂがクリックされると、図９に示すように、読影医Ａが記入した所見のみを所見表示領域８２に表示させる。同様に、ＣＰＵ２４は、読影医Ｂボタン９４ｃがクリックされると、図１０に示すように、読影医Ｂが記入した所見のみを所見表示領域８２に表示させる。また、ＣＰＵ２４は、各読影医Ａ、Ｂの所見のみが表示された状態で確定ボタン９４ａがクリックされると、初期と同様に、読影部門６で確定された所見を所見表示領域８２に表示させる。このように、各読影医が記入した所見を選択的に抽出して表示することで、どの読影医が記入した所見であるかを容易に判別することができる。また、所望の読影医の所見のみを参照することができるので、読影レポート２０の見易さを向上させることもできる。
【００７８】
依頼医は、例えば、各所見に対して質問がある場合などに読影医Ａボタン９４ｂ、読影医Ｂボタン９４ｃをクリックし、各読影医Ａ、Ｂが記入した所見のみを表示させる。これにより、質問したい所見を記入したのが、読影医Ａ、Ｂのどちらであるかを知ることができるので、質問する相手を間違える心配がない。また、読影部門６の各読影医においても、記入していない所見に対する質問が届くことがないので、記入していない旨を依頼医に返答したり、所見を記入した読影医に質問を転送したりする手間がなくなる。このように、本実施形態によれば、依頼医が質問する読影医を間違えることによる手間を防止することができるので、依頼医と読影医との業務の効率化を図ることができる。
【００７９】
なお、上記実施形態では、各読影医が記入した所見を選択的に抽出して表示することで、どの読影医が記入した所見であるかを判別できるようにしたが、これに限ることなく、例えば、レポート付帯情報２１自体を依頼医に参照させることによって、各所見と各読影医との対応関係を依頼医に判別させるようにしてもよい。
【００８０】
また、上記実施形態では、所見の記入者として読影医のみを示したが、所見の記入者は、これに限ることなく、例えば、検査技師や看護師などであってもよい。
【００８１】
さらに、上記実施形態では、診療科端末１０を読影レポート表示装置とし、依頼医が読影レポート２０を参照する際に各所見を抽出して表示するようにしたが、本発明は、これに限ることなく、例えば、読影レポート作成端末１２を読影レポート表示装置とし、承認を行う読影医が読影レポート２０を参照する際などに各所見を抽出して表示するようにしてもよい。
【００８２】
また、読影レポート作成端末１２を読影レポート表示装置とした場合、読影部門６におけるカンファレンス（勉強会）で本発明を用いることにより、各読影医の教育を支援することができる。例えば、上記の例において、読影医Ａの所見のみを表示した状態で読影医Ａにもう一度読影を促す。そして、他の患部などが無いかなどを読影医Ａに読影させた後、読影医Ｂの所見を表示する。これにより、見落とした所見などを読影医Ａに認識させることができる。
【００８３】
次に、図１２、１３を参照しながら、本発明の第２の実施形態について説明する。なお、上記実施形態と機能・構成上同一のものについては、同符号を付し、詳細な説明を省略する。図１２に示すレポート表示画面１００には、確定ボタン１０２ａ、患部１ボタン１０２ｂ、患部２ボタン１０２ｃ、患部３ボタン１０２ｄが所見表示領域８２に設けられている。診療科端末１０のＣＰＵ２４は、レポート表示画面１００を構成する際、レポート付帯情報２１に含まれる患部位置情報などに基づいて、各ボタン１０２ａ〜１０２ｄを表示する。
【００８４】
ＣＰＵ２４は、確定ボタン１０２ａがクリックされると、図１２に示すように、読影部門６で確定された所見を所見表示領域８２に表示する。一方、ＣＰＵ２４は、患部１ボタン１０２ｂがクリックされると、レポート付帯情報２１を基に患部１に対応する所見を読影レポート２０から抽出し、図１３に示すように、患部１に対応する所見のみを所見表示領域８２に表示する。この際、ＣＰＵ２４は、所見表示領域８２に２つの表示ボックス１０４、１０５を設ける。表示ボックス１０４には、読影医Ａの所見が、表示ボックス１０５には、読影医Ｂの所見が、それぞれ表示される。このように、ＣＰＵ２４は、患部１に対応する所見を抽出するとともに、記入した読影医毎に各所見を分けて所見表示領域８２に表示する。また、各表示ボックス１０４、１０５には、作成者情報表示部１０４ａ、１０５ａが設けられている。各作成者情報表示部１０４ａ、１０５ａには、それぞれ所見を記入した日時、及び所見を記入した読影医の名前が表示される。
【００８５】
また、ＣＰＵ２４は、患部１ボタン１０２ｂがクリックされると、患部１に対応するアノテーション６６のみをキー画像６５上に表示する。以下、同様に、患部２ボタン１０２ｃ、患部３ボタン１０２ｄをクリックすると、それぞれ各患部に対応する所見、及びアノテーションのみが表示されるようになる。
【００８６】
上記第１の実施形態では、各読影医が記入した所見を選択的に抽出して表示するようにしていたが、本実施形態では、各患部の所見を選択的に抽出して表示するようにした。このように構成すると、依頼医は、所望の患部の所見のみを参照することができるので、読影レポート２０の見易さを向上させることができる。また、作成者情報表示部１０４ａ、１０５ａを設ければ、各所見を記入した読影医を判別することもできるので、上記第１の実施形態と同様の効果を得ることができる。
【００８７】
次に、図１４、１５を参照しながら、本発明の第３の実施形態について説明する。上記各実施形態では、１枚のキー画像６５が読影レポート２０に含まれている例を示したが、ＣＴなどの断層撮影では、図１４に示すように、複数のキー画像１１０、１１２が読影レポート２０に含まれる場合もある。このような場合には、まず読影レポート作成端末１２で読影レポート２０を作成する際に、図１５に示すように、レポート付帯情報２１に各キー画像１１０、１１２の識別情報を関連付けて記録する。
【００８８】
そして、レポート表示画面１００で患部１ボタン１０２ｂがクリックされた際には、レポート付帯情報２１を基に患部１に対応するキー画像１１０のみをキー画像表示領域８３に表示し、患部２ボタン１０２ｃ、患部３ボタン１０２ｄがクリックされた際には、レポート付帯情報２１を基に患部２、３に対応するキー画像１１２のみをキー画像表示領域８３に表示する。このように、対応するキー画像のみを表示することで、各所見と各患部と各キー画像との対応関係が明確になり、読影レポート２０の見易さを向上させることができる。なお、本実施形態では、２枚のキー画像１１０、１１２を示したが、キー画像は、２枚以上であってもよい。
【００８９】
また、１件の読影依頼に対して複数の読影医が読影を行う場合、図１６の患部２と患部３のように、同一の患部であるにも係わらず、それぞれ異なるキー画像１１４、１１６にアノテーション１１８、１１９が付与されてしまうことがある。このため、診療科端末１０のＣＰＵ２４は、各アノテーション１１８、１１９が同一の患部を示しているか否かの判定を行う。同一であるか否かの判定は、例えば、画像上の位置と断層撮影のスライス厚の設定とから各アノテーション１１８、１１９が添付されたスライス画像間の距離を算出し、この距離が所定の範囲内にあるか否かを確認することによって行われる。なお、所定の範囲は、画像を読影したユーザが病変部の大きさとして入力した値でもよいし、ＣＡＤなどで自動的に計測された値でもよい。
【００９０】
上述の判定を行った結果、各アノテーション１１８、１１９が同一の患部を示していると判定したＣＰＵ２４は、各キー画像１１４、１１６の一方のみをキー画像表示領域８３に表示する。このように、同一の患部を示すアノテーションが複数のキー画像に表示されている場合には、上述のように判定を行って各キー画像のいずれか１つのみを表示することにより、読影レポート２０の見易さを向上させることができる。
【００９１】
なお、上記各実施形態では、１つの読影依頼に対して１つの読影レポート２０を作成する例を示したが、本発明は、これに限ることなく、例えば、１つの読影依頼に対して読影医毎に複数の読影レポート２０を作成するものであってもよい。なお、１つの読影依頼に対して複数の読影レポート２０を作成する場合には、各読影レポート２０のそれぞれから所見などを抽出してレポート表示画面８０を構成すればよい。
【００９２】
また、上記各実施形態では、１つのレポート付帯情報２１を作成するようにしているが、これに限ることなく、例えば、所見毎などの単位で複数に分けてレポート付帯情報２１を作成するようにしてもよい。また、上記各実施形態では、読影レポート作成端末１２でレポート付帯情報２１を作成するようにしているが、これに限ることなく、例えば、読影レポート作成端末１２から送られた情報を基に、レポートサーバ２２でレポート付帯情報２１を作成するようにしてもよい。
【００９３】
さらに、上記実施形態では、診療科端末１０で所見の抽出などを行い、レポート表示画面８０を構成するようにしているが、これに限ることなく、例えば、レポートサーバ２２でレポート表示画面８０を構成し、診療科端末１０に転送するようにしてもよい。また、本発明は、プログラムの態様で構成されるものであってもよい。
【図面の簡単な説明】
【００９４】
【図１】医用ネットワークシステムの構成を概略的に示す説明図である。
【図２】読影依頼の流れを概略的に示す説明図である。
【図３】読影部門における読影業務の流れを概略的に示す説明図である。
【図４】読影依頼選択画面の一例を示す説明図である。
【図５】レポート作成画面の一例を示す説明図である。
【図６】査閲によって加筆修正が行われたレポート作成画面を示す説明図である。
【図７】レポート付帯情報の一例を示す説明図である。
【図８】レポート表示画面の一例を示す説明図である。
【図９】読影医Ａの所見のみを表示したレポート表示画面を示す説明図である。
【図１０】読影医Ｂの所見のみを表示したレポート表示画面を示す説明図である。
【図１１】読影業務の手順を示すフローチャートである。
【図１２】患部毎に所見を表示するようにしたレポート表示画面の一例を示す説明図である。
【図１３】患部１の所見のみを表示したレポート表示画面を示す説明図である。
【図１４】複数のキー画像を表示したレポート表示画面の一例を示す説明図である。
【図１５】キー画像の識別情報を含めたレポート付帯情報を示す説明図である。
【図１６】複数のキー画像のそれぞれに同一患部のアノテーションが付与された例を示す説明図である。
【符号の説明】
【００９５】
２  医用ネットワークシステム（読影レポートシステム）
１０  診療科端末（読影レポート表示装置）
１２  読影レポート作成端末（読影レポート作成装置）
１６  医用画像
２０  読影レポート
２１  レポート付帯情報
２４  ＣＰＵ（表示制御手段、判定手段）
２６  モニタ（表示手段）
３０  ＣＰＵ（付帯情報作成手段）
３４  キーボード（所見記入手段）
【図１】
2009060945.tif 000003
【図２】
2009060945.tif 000004
【図３】
2009060945.tif 000005
【図４】
2009060945.tif 000006
【図５】
2009060945.tif 000007
【図６】
2009060945.tif 000008
【図７】
2009060945.tif 000009
【図８】
2009060945.tif 000010
【図９】
2009060945.tif 000011
【図１０】
2009060945.tif 000012
【図１１】
2009060945.tif 000013
【図１２】
2009060945.tif 000014
【図１３】
2009060945.tif 000015
【図１４】
2009060945.tif 000016
【図１５】
2009060945.tif 000017
【図１６】
2009060945.tif 000018